(57)【特許請求の範囲】
【請求項１】
紐の挿通路と、
前記挿通路の入り口の一部を構成する入り口バーと、
前記挿通路の出口の一部を構成する出口バーと、
前記入り口と前記出口との間において前記紐に押し当てられて挿通された前記紐を屈曲させるストッパー部と、
前記入り口と前記ストッパー部との間において前記入り口バーに向き合うように形成された湾曲面若しくは傾斜面又はこれらの組み合わせからなる前記紐の入り口側ガイド面部と、
前記出口と前記ストッパー部との間において前記出口バーに向き合うように形成された湾曲面若しくは傾斜面又はこれらの組み合わせからなる前記紐の出口側ガイド面部とを備えてなる、紐留め具と、
前記紐の挿通部を備えた引き手部材とからなり、この引き手部材の少なくとも一部が、前記紐留め具の入り口バーと出口バーとの間に納まるようにしてなる、紐留め装置。
【請求項２】
紐の挿通路と、
前記挿通路の入り口の一部を構成する入り口バーと、
前記挿通路の出口の一部を構成する出口バーと、
前記入り口と前記出口との間において前記紐に押し当てられて挿通された前記紐を屈曲させるストッパー部と、
前記入り口と前記ストッパー部との間において前記入り口バーに向き合うように形成された湾曲面若しくは傾斜面又はこれらの組み合わせからなる前記紐の入り口側ガイド面部と、
前記出口と前記ストッパー部との間において前記出口バーに向き合うように形成された湾曲面若しくは傾斜面又はこれらの組み合わせからなる前記紐の出口側ガイド面部とを備えると共に、
仮想の中心軸を挟んだ両側にそれぞれ前記挿通路を備え、前記中心軸を中心とした対称位置にそれぞれ前記入り口バー、出口バー及びストッパー部を配してなる紐留め具と、
前記紐の挿通部を備えた引き手部材とからなり、この引き手部材の少なくとも一部が、前記中心軸を挟んだ一方側に位置される前記出口バーと前記中心軸を挟んだ他方側に位置される前記出口バーとの間に納まるようにしてなる、紐留め装置。
【請求項３】
ベース部を有し、前記入り口バー、前記出口バー及び前記ストッパー部は前記ベース部から突き出すように形成されていると共に、
前記入り口バーの突き出し端と前記出口バーの突き出し端とを連接させる連接部を備え、
前記ベース部と前記連接部との間に前記挿通路を形成させてなる、請求項１又は請求項２に記載の紐留め装置。
【発明の詳細な説明】
【技術分野】
【０００１】
この発明は、挿通された紐に対し所定の留め付け力をもって留め付くように構成された紐留め具を含んで構成される紐留め装置に関する。
【背景技術】
【０００２】
二つのチューブ状の紐挿通路間に基部から突出する紐係合部を配してなる紐保持体を、二箇所に設けさせて構成された紐結束具がある（特許文献１参照）。
【０００３】
この特許文献１のものにあっては、紐は、二つの紐挿通路のそれぞれを通過した状態で、二つの紐挿通路間においてこの紐挿通路より突き出し端を上方に位置させる紐係合部上を紐が乗り越えるようにすることで、紐に係合するようになっている。このため、紐に対し最初にかかる紐結束具を取り付ける作業は困難である。この点、特許文献１のものにあっては、紐係合部の一方又は双方に前記紐挿通路に側方から連絡するスリットを設けてこれを断面Ｃ字状に構成する構成も開示されている。このようなスリットを設ければ、これを利用して紐挿通路に紐を導入し易くはなる。しかし、特許文献１の構成では、紐挿通路に保持された紐にこの紐の長さ方向に交叉する向きの力が作用された場合、前記スリットからの紐の抜け出しを生じさせるおそれがある。
【先行技術文献】
【特許文献】
【０００４】
【特許文献１】特開２００３−１３７２３０号公報
【発明の概要】
【発明が解決しようとする課題】
【０００５】
この発明が解決しようとする主たる問題点は、通された紐に対し所定の留め付け力をもって留め付くように構成された紐留め具、及び、これを含んで構成される紐留め装置における紐の挿通作業を、留め付け後の紐の抜け出しを生じさせない態様で、より容易に行えるようにする点にある。
【課題を解決するための手段】
【０００６】
前記課題を解決するために、この発明にあっっては、第一の観点から、紐留め装置を、
紐の挿通路と、
前記挿通路の入り口の一部を構成する入り口バーと、
前記挿通路の出口の一部を構成する出口バーと、
前記入り口と前記出口との間において前記紐に押し当てられて挿通された前記紐を屈曲させるストッパー部と、
前記入り口と前記ストッパー部との間において前記入り口バーに向き合うように形成された湾曲面若しくは傾斜面又はこれらの組み合わせからなる前記紐の入り口側ガイド面部と、
前記出口と前記ストッパー部との間において前記出口バーに向き合うように形成された湾曲面若しくは傾斜面又はこれらの組み合わせからなる前記紐の出口側ガイド面部とを備えてなる、紐留め具と、
前記紐の挿通部を備えた引き手部材とからなり、この引き手部材の少なくとも一部が、前記紐留め具の入り口バーと出口バーとの間に納まるようにしてなる、ものとした。
また、前記課題を解決するために、この発明にあっては、第二の観点から、紐留め装置を、
紐の挿通路と、
前記挿通路の入り口の一部を構成する入り口バーと、
前記挿通路の出口の一部を構成する出口バーと、
前記入り口と前記出口との間において前記紐に押し当てられて挿通された前記紐を屈曲させるストッパー部と、
前記入り口と前記ストッパー部との間において前記入り口バーに向き合うように形成された湾曲面若しくは傾斜面又はこれらの組み合わせからなる前記紐の入り口側ガイド面部と、
前記出口と前記ストッパー部との間において前記出口バーに向き合うように形成された湾曲面若しくは傾斜面又はこれらの組み合わせからなる前記紐の出口側ガイド面部とを備えると共に、
仮想の中心軸を挟んだ両側にそれぞれ前記挿通路を備え、前記中心軸を中心とした対称位置にそれぞれ前記入り口バー、出口バー及びストッパー部を配してなる紐留め具と、
前記紐の挿通部を備えた引き手部材とからなり、この引き手部材の少なくとも一部が、前記中心軸を挟んだ一方側に位置される前記出口バーと前記中心軸を挟んだ他方側に位置される前記出口バーとの間に納まるようにしてなる、ものとした。
【０００７】
前記挿通路の入り口から前記挿通路に導入された紐は、前記入り口側ガイド面部に導かれ前記入り口バーと前記ストッパー部との間から紐留め具の外側に一旦引き出される。このように引き出された紐を、前記ストッパー部と前記出口バーとの間より前記挿通路に再導入でき、再導入された紐は前記出口側ガイド面部に導かれ前記出口から引き出される。これにより、紐留め具に対する紐の挿通作業は容易化される。挿通された紐は屈曲されてその屈曲内側にストッパー部が押し当てられることから、紐留め具は所定の留め付け力をもって紐に留めつく。
【０００８】
前記入り口の一部を構成する前記入り口側ガイド面部の端末は、前記ストッパー部を通って前記入り口バーと前記出口バーとを結ぶ仮想の第一直線に対し前記入り口バーを通って直交する仮想の第二直線上に位置され、
前記出口の一部を構成する前記出口側ガイド面部の端末は、前記仮想の第一直線に対し前記出口バーを通って直交する仮想の第三直線上に位置されるようにすることが、この発明の好ましい態様の一つとされる。
【０００９】
このようにした場合、挿通路に前記のように挿通された紐は、前記入り口と前記ストッパー部との間では前記入り口バーを屈曲内側に押し当てるようにして屈曲され、前記出口と前記ストッパー部との間では前記出口バーを屈曲内側に押し当てるようにして屈曲され、前記入り口バーと出口バーとの間ではこれらと反対の側から紐に対しストッパー部を押し当てることができ、挿通された紐に対し強固に紐留め具を留め付けることが可能とされる。
【００１０】
また、前記入り口側ガイド面部の端末と前記ストッパー部とを結ぶ仮想の第四直線と前記入り口バーとの距離、及び、前記出口側ガイド面部の端末と前記ストッパー部とを結ぶ仮想の第五直線と前記出口バーとの距離が、前記紐の太さよりも小さくなるようにすることが、この発明の好ましい態様の一つとされる。
【００１１】
このようにした場合、前記入り口側ガイド面部の端末と前記ストッパー部との間で入り口側バーを紐に強固に押し当てることができると共に、前記出口側ガイド面部の端末と前記ストッパー部との間で出口側バーを紐に強固に押し当てることができる。
【００１２】
また、前記入り口バーは、前記入り口側ガイド面部に向き合うアール凸面状の第一面部と、前記入り口の一部を構成する第二面部とを有すると共に、この第二面部を前記挿通路への前記紐の導入を容易にするように傾斜させる構成とすることが、この発明の好ましい態様の一つとされる。このようにした場合、前記入り口から挿通路内に紐をよりスムースに挿通できる。
【００１３】
また、前記出口バーは、前記出口側ガイド面部に向き合うアール凸面状の第一面部と、前記出口の一部を構成する第二面部とを有すると共に、この第二面部を前記挿通路からの前記紐の引き出しを容易にするように傾斜させる構成とすることが、この発明の好ましい態様の一つとされる。このようにした場合、前記出口より挿通された紐をスムースに引き出すことができる。
【００１４】
また、前記入り口バー及び前記出口バーがそれぞれ、前記第二面部に平行をなす第三面部を備えたものとすることが、この発明の好ましい態様の一つとされる。このようにした場合、紐留め具をプラスチック成形品とする場合には、前記第二面部及び前記第三面部を、これらに平行となる向きに可動する単一のスライドコアによって同時に成形することができ、紐留め具を金型構造を複雑にすることなく成形し易くなる。
【００１５】
また、前記入り口バーの第一面部及び前記出口バーの第一面を、アール凸面状とすることが、この発明の好ましい態様の一つとされる。このようにした場合、第一に、前記挿通路に挿通した紐に対しこれを傷つけないように前記第一面部を押しつけることができ、また、第二に、紐留め具をプラスチック成形品とする場合には、この第一面部を頂部を尖らせた凸面状に構成させた場合に比べ、金型構造を複雑にすることなく成形し易くなる。
【００１６】
また、前記紐留め具は、ベース部を有し、前記入り口バー、前記出口バー及び前記ストッパー部は前記ベース部から突き出すように形成されていると共に、
前記入り口バーの突き出し端と前記出口バーの突き出し端とを連接させる連接部を備え、
前記ベース部と前記連接部との間に前記挿通路を形成させた形態とすることが、この発明の好ましい態様の一つとされる。
【００１７】
また、仮想の中心軸を挟んだ両側にそれぞれ前記挿通路を備え、前記中心軸を中心とした対称位置にそれぞれ前記入り口バー、出口バー及びストッパー部を配するようにすることが、この発明の好ましい態様の一つとされる。
【発明の効果】
【００２０】
この発明によれば、紐留め具を含んで構成される紐留め装置における紐の挿通作業を、留め付け後の紐の抜け出しを生じさせない態様で、容易に行なうことができる。
【図面の簡単な説明】
【００２１】
【図１】図１は、この発明の一実施の形態にかかる紐留め具（第一例）の斜視図である。
【図２】図２は、前記第一例の斜視図であり、図１と異なる向きから見て示している。
【図３】図３は、前記第一例の平面図である。
【図４】図４は、前記第一例の底面図である。
【図５】図５は、前記第一例の右側面図である。
【図６】図６は、図５におけるＡ−Ａ線位置での断面図である。
【図７】図７は、前記第一例の挿通路に紐を挿通する過程を示した断面図であり、入り口から挿入した紐がストッパー部と入り口バーとの間から外方に抜け出した状態を示している。
【図８】図８は、前記第一例の挿通路に紐を挿通する過程を示した断面図であり、図７の状態において外方に位置された紐の端末をストッパー部と出口バーとの間より内方に入れ込んだ状態を示している。
【図９】図９は、前記第一例に紐を挿通させた状態を示した断面図である。
【図１０】図１０は、前記第一例の構成の一部を変更させた例を示した断面図である。
【図１１】図１１は、前記第一例の構成の一部を変更させた例を示した断面図である。
【図１２】図１２は、前記第一例をプラスチック成形品とする場合に利用される金型におけるスライドコアの一構成例を前記第一例の断面と一緒に示した構成図である。
【図１３】図１３は、この発明の一実施の形態にかかる紐留め具（第二例）の斜視図である。
【図１４】図１４は、前記第二例の斜視図であり、図１３と異なる向きから見て示している。
【図１５】図１５は、前記第二例の平面図である。
【図１６】図１６は、前記第二例の底面図である。
【図１７】図１７は、前記第二例の正面図である。
【図１８】図１８は、図１７におけるＢ−Ｂ線位置での断面図である。
【図１９】図１９は、図１７におけるＢ−Ｂ線位置での断面図である。
【図２０】図２０は、前記第二例と組み合わされて紐留め装置を構成する引き手部材の斜視図である。
【図２１】図２１は、前記第二例と組み合わされて紐留め装置を構成する引き手部材の斜視図であり、図２０と異なる向きからこれを見て示している。
【図２２】図２２は、前記第二例に紐を挿通させた状態を示した断面図であり、前記第二例と前記引き手部材とを密着させた状態を示している。
【図２３】図２３は、前記第二例に紐を挿通させた状態を示した断面図である。
【図２４】図２４は、前記第二例をプラスチック成形品とする場合に利用される金型におけるスライドコアの一構成例を前記第二例の断面と一緒に示した構成図である。
【発明を実施するための形態】
【００２２】
以下、図１〜図２４に基づいて、この発明の典型的な実施の形態について、説明する。この実施の形態にかかる紐留め具Ｒは、紐Ｗの挿通路１を備えており（図７、図１８、図１９）、この挿通路１に挿通された紐Ｗに対し所定の留め付け力をもって留め付くように構成されたものである。より具体的には、かかる紐留め具Ｒの前記挿通路１には紐Ｗは屈曲状態で挿通されるようになっており、屈曲された紐Ｗの屈曲内側にこの挿通路１内において紐留め具Ｒの一部を構成する後述のストッパー部３が押し当てられるようになっている（図９、図２３）。これにより、かかる紐留め具Ｒは、紐Ｗの任意の位置に所定の留め付け力をもって留め付け可能となる。前記所定の留め付け力を越える力をもって、紐Ｗを引っ張るか、紐Ｗの長さ方向に沿って紐留め具Ｒを移動操作することで、紐Ｗに対する紐留め具Ｒの留め付け位置を変えることが可能とされる。
【００２３】
かかる紐Ｗは、このように紐留め具Ｒの留め付けが可能なものであれば、その形状（丸紐、平紐など）、材質や構造（編み紐、ゴム紐、合成樹脂製の紐など）は問われない。かかる紐留め具Ｒは、典型的には、こうした紐Ｗにより絞られたり、引き締められたりする箇所を備えた各種の物品におけるこの紐Ｗに留め付けられて、その留め付け位置を変えることでこのような箇所を絞ったり、緩めたりするように用いられる。
【００２４】
この実施の形態にかかる紐留め具Ｒは、後述の第一例及び第二例共に、
紐Ｗの挿通路１と、
前記挿通路１の入り口１ａの一部を構成する入り口バー２ａと、
前記挿通路１の出口１ｂの一部を構成する出口バー２ｂと、
前記入り口１ａと前記出口１ｂとの間において前記紐Ｗに押し当てられて挿通された前記紐Ｗを屈曲させるストッパー部３と、
前記入り口１ａと前記ストッパー部３との間において前記入り口バー２ａに向き合うように形成された湾曲面α若しくは傾斜面β又はこれらの組み合わせからなる前記紐Ｗの入り口側ガイド面部４と、
前記出口１ｂと前記ストッパー部３との間において前記出口バー２ｂに向き合うように形成された湾曲面α若しくは傾斜面β又はこれらの組み合わせからなる前記紐Ｗの出口側ガイド面部５とを備えてなる。
【００２５】
そこで、先ず、後述の第一例及び第二例に共通する構成について、主として第一例を参照しつつ説明する。
【００２６】
前記挿通路１の入り口１ａから前記挿通路１に導入された紐Ｗは、前記入り口側ガイド面部４に導かれ前記入り口バー２ａと前記ストッパー部３との間から紐留め具Ｒの外側に一旦引き出される（図７）。このように引き出された紐Ｗを、前記ストッパー部３と前記出口バー２ｂとの間より前記挿通路１に再導入でき、再導入された紐Ｗは前記出口側ガイド面部５に導かれ（図８）前記出口１ｂから引き出される（図９）。これにより、紐留め具Ｒに対する紐Ｗの挿通作業は容易化される。挿通された紐Ｗは屈曲されてその屈曲内側にストッパー部３が押し当てられることから、紐留め具Ｒは所定の留め付け力をもって紐Ｗに留めつく。
【００２７】
前記入り口側ガイド面部４は、前記入り口バー２ａを湾曲内側に位置させてこの入り口バー２ａとの間を前記挿通路１の一部とする構成であれば足り、前記入り口側ガイド面部４は、図１０に示されるように、湾曲面αと傾斜面βとから構成してあっても、また、図１１に示されるように、複数の傾斜面βから構成してあっても構わない。
【００２８】
また、前記出口側ガイド面部５は、前記出口バー２ｂを湾曲内側に位置させてこの出口バー２ｂとの間を前記挿通路１の一部とする構成であれば足り、前記出口側ガイド面部５は、図１０に示されるように、湾曲面αと傾斜面βとから構成してあっても、また、図１１に示されるように、複数の傾斜面βから構成してあっても構わない。
【００２９】
なお、図示の例では、前記紐Ｗは、図７における左側から挿通路１に導入することも可能であり、この場合、図７における出口１ｂが入り口１ａとして機能し、図７における出口側ガイド面部５が入り口側ガイド面部４として機能することとなる。
【００３０】
また、この実施の形態にあっては、前記入り口１ａの一部を構成する前記入り口側ガイド面部４の端末４ａは、前記ストッパー部３を通って前記入り口バー２ａと前記出口バー２ｂとを結ぶ仮想の第一直線ｘ１（図６参照）に対し前記入り口バー２ａを通って直交する仮想の第二直線ｘ２（図６参照）上に位置され、
前記出口１ｂの一部を構成する前記出口側ガイド面部５の端末５ａは、前記仮想の第一直線に対し前記出口バー２ｂを通って直交する仮想の第三直線ｘ３（図６参照）上に位置されるようになっている。
【００３１】
これによりこの実施の形態にあっては、図９に示されるように、挿通路１に前記のように挿通された紐Ｗは、前記入り口１ａと前記ストッパー部３との間では前記入り口バー２ａを屈曲内側に押し当てるようにして屈曲され、前記出口１ｂと前記ストッパー部３との間では前記出口バー２ｂを屈曲内側に押し当てるようにして屈曲され、前記入り口バー２ａと出口バー２ｂとの間ではこれらと反対の側から紐Ｗに対しストッパー部３を押し当てることができ、挿通された紐Ｗに対し強固に紐留め具Ｒを留め付けることが可能とされる。
【００３２】
また、この実施の形態にあっては、前記入り口側ガイド面部４の端末４ａと前記ストッパー部３とを結ぶ仮想の第四直線ｘ４（図６参照）と前記入り口バー２ａとの距離、及び、前記出口側ガイド面部５の端末５ａと前記ストッパー部３とを結ぶ仮想の第五直線ｘ５（図６参照）と前記出口バー２ｂとの距離が、前記紐Ｗの太さよりも小さくなるようにしている。
【００３３】
これにより、この実施の形態にあっては、前記入り口側ガイド面部４の端末４ａと前記ストッパー部３との間で入り口１ａ側バーを紐Ｗに強固に押し当てることができると共に、前記出口側ガイド面部５の端末５ａと前記ストッパー部３との間で出口１ｂ側バーを紐Ｗに強固に押し当てることができる。
【００３４】
また、この実施の形態にあっては、前記入り口バー２ａは、前記入り口側ガイド面部４に向き合うアール凸面状の第一面部Ｓ１と、前記入り口１ａの一部を構成する第二面部Ｓ２とを有すると共に、この第二面部Ｓ２を前記挿通路１への前記紐Ｗの導入を容易にするように傾斜させている。図示の例では、入り口バー２ａは、その軸方向ａｘ（図５参照）に交叉する向きの断面をこの軸方向に亘る各位置においてほぼ同一の形状としていると共に、前記第一面部Ｓ１と、前記第二面部Ｓ２とを備えている。前記第二面部Ｓ２は、前記ストッパー部３の側に近づくに連れて挿通路１を狭める向きの傾斜を有している。これにより、この実施の形態にあっては、前記入り口１ａから挿通路１内に紐Ｗをスムースに挿通できるようになっている。
【００３５】
また、この実施の形態にあっては、前記出口バー２ｂは、前記出口側ガイド面部５に向き合うアール凸面状の第一面部Ｓ１と、前記出口１ｂの一部を構成する第二面部Ｓ２とを有すると共に、この第二面部Ｓ２を前記挿通路１からの前記紐Ｗの引き出しを容易にするように傾斜させている。図示の例では、出口バー２ｂは、その軸方向に交叉する向きの断面をこの軸方向に亘る各位置においてほぼ同一の形状としていると共に、前記第一面部Ｓ１と、前記第二面部Ｓ２とを備えている。前記第二面部Ｓ２は、前記ストッパー部３の側に近づくに連れて挿通路１を狭める向きの傾斜を有している。これにより、この実施の形態にあっては、前記出口１ｂより挿通された紐Ｗをスムースに引き出せるようになっている。
【００３６】
また、この実施の形態にあっては、前記入り口バー２ａ（第二例ではバー構成体２）及び前記出口バー２ｂ（第二例ではバー構成体２）がそれぞれ、前記第二面部Ｓ２に平行をなす第三面部Ｓ３を備えたものとなっている（図１２、図２４）。これにより、この実施の形態にあっては、紐留め具をプラスチック成形品とする場合には、前記第二面部Ｓ２及び前記第三面部Ｓ３を、これらに平行となる向きｆに可動する単一のスライドコアＳＣ（図１２、図２４参照）によって同時に成形することができ、紐留め具Ｒを金型構造を複雑にすることなく成形し易くなる。
【００３７】
また、この実施の形態にあっては、前記入り口バー２ａの第一面部Ｓ１及び前記出口バー２ｂの第一面部Ｓ１を、アール凸面状としていることから、第一に、前記挿通路１に挿通した紐Ｗに対しこれを傷つけないように前記第一面部Ｓ１を押しつけることができ、また、第二に、紐留め具Ｒをプラスチック成形品とする場合には、この第一面部Ｓ１を頂部を尖らせた凸面状に構成させた場合に比べ、金型構造を複雑にすることなく成形し易くなる。
【００３８】
また、この実施の形態にあっては、紐留め具Ｒは、ベース部を有し、前記入り口バー２ａ、前記出口バー２ｂ及び前記ストッパー部３は前記ベース部から突き出すように形成されていると共に、
前記入り口バー２ａの突き出し端と前記出口バー２ｂの突き出し端とを連接させる連接部６を備え、
前記ベース部と前記連接部６との間に前記挿通路１を形成させた形態となっている。
【００３９】
これにより、この実施の形態にあっては、前記挿通路１は、前記ベース部と前記入り口バー２ａと前記連接部６とに囲繞された箇所、及び、前記ベース部と前記出口バー２ｂと前記連接部６とに囲繞された箇所を持ち、一旦挿通路１に挿通された紐Ｗは紐Ｗをその長さ方向に沿う向きに引っ張って挿通路１から引き出さない限り挿通路１内に保持され続ける。
【００４０】
（第一例）
図１〜図１２は、紐留め具Ｒに、前記挿通路１を一系統のみ備えた例を示している。
【００４１】
この第一例にあっては、紐留め具Ｒは、幅と、長さと、厚さとを持った構成となっている。すなわち、紐留め具Ｒは、表面７及び裏面８と四つの厚さ側の面９…９とを実質的に持った構成となっている（図１参照）。厚さ側の四つの面９…９のうちの二つの長さ側の面の一方は、閉塞部１０となっており、他方に開放部１１が形成されている。また、厚さ側の四つの面９…９のうちの二つの幅側の面の一方に前記入り口１ａ（前述のように出口１ｂとしても機能しうる。）が形成され、他方に前記出口１ｂ（前述のように入り口１ａとしても機能しうる。）が形成されている。
【００４２】
この第一例にあっては、紐留め具Ｒは、中実部１２と、前記入り口バー２ａと、前記出口バー２ｂと、前記連接部６となる長さ側連接部１３と、幅側連接部１４とを備えた構成となっている。
【００４３】
前記中実部１２は、前記閉塞部１０と、前記入り口側ガイド面部４と、前記出口側ガイド面部５と、前記表面７の一部となる表面部１２ａと、前記裏面８の一部となる裏面部１２ｂとを備えている（図１参照）。この中実部１２の前記入り口側ガイド面部４と前記出口側ガイド面部５とが接し合うコーナーが前記ストッパー部３となっている。
【００４４】
前記入り口バー２ａ及び出口バー２ｂは、紐留め具Ｒの厚さ方向に軸方向ａｘを沿わせるように配されている。
【００４５】
前記長さ側連接部１３は、外面を前記表面７の一部とする長さ側連接部１３と、外面を前記裏面８の一部とする長さ側連接部１３とからなり、両長さ側連接部１３、１３の間に紐Ｗの挿通可能な距離を開けて、前記入り口バー２ａの端部と前記中実部１２のストッパー部３と前記出口バー２ｂの端部とをつなぐように設けられている。
【００４６】
前記幅側連接部１４は、外面を前記表面７の一部とする幅側連接部１４と、外面を前記裏面８の一部とする幅側連接部１４とからなり、両幅側連接部１４、１４の間に紐Ｗの挿通可能な距離を開けて、前記入り口バー２ａの端部と前記中実部１２の入り口側ガイド面部４の端末４ａ、及び、前記出口バー２ｂの端部と前記中実部１２の出口側ガイド面部５の端末５ａとをつなぐように設けられている。
【００４７】
すなわち、この第一例では、紐留め具Ｒの表面７又は裏面８が前記ベース部として機能するようになっている。
【００４８】
（第二例）
図１３〜図２４は、紐留め具Ｒに、前記挿通路１を二系統備えた例を示している。
【００４９】
この第二例は、仮想の中心軸ｙを挟んだ両側にそれぞれ前記挿通路１を備え、前記中心軸ｙを中心とした対称位置にそれぞれ前記入り口バー２ａ、出口バー２ｂ及びストッパー部３を配した構成となっている。
【００５０】
具体的には、この第二例は、板状をなすベース部１５と、このベース部１５の一面においてこのベース部１５の中央から突き出す中核部１６と、この中核部１６の周回方向において隣り合うバー構成体２との間に９０度分の間隔を開けて前記ベース部１５の一面から突き出す四つのバー構成体２…２と、前記連接部６となる周回連接部１７とを備えた構成となっている。
【００５１】
前記中核部１６は、中心に中空部１６ａを有すると共に、この中空部１６ａの周回方向において隣り合う突出部１６ｂとの間に９０度分の間隔を開けて放射方向に突き出す四つの突出部１６ｂ…１６ｂを備えている。
【００５２】
隣り合う突出部１６ｂ、１６ｂ間の中核部１６の側面は、この中核部１６を突き出し方向に直交する向きで断面にした状態において、この中核部１６の中心側を湾曲外側とした湾曲側面１６ｃとなっている。すなわち、中核部１６は四つの湾曲側面１６ｃ…１６ｃを有している。
【００５３】
中核部１６の四つの湾曲側面１６ｃ…１６ｃの外側には、前記バー構成体２がそれぞれ、湾曲側面１６ｃとの間に紐Ｗの通過可能な距離を開けて配されている。
【００５４】
前記周回連接部１７は、環状をなすと共に、前記ベース部１５の一面との間に紐Ｗの挿通可能な距離を開けて配されている。周回連接部１７は、前記バー構成体２の突き出し端と前記中核部１６の突出部１６ｂとにおいてこれらと一体化されている。
【００５５】
そして、この実施の形態にあっては、前記中核部１６及びバー構成体２の突き出し方向に直交し、前記中核部１６の中心を挟んだ対向位置にある二箇所の突出部１６ｂを通る仮想の中心軸ｙを挟んだ両側にそれぞれ前記挿通路１が位置されるようになっている。この実施の形態にあっては、前記仮想の中心軸ｙを図１８のように右上の突出部１６ｂと左下の突出部１６ｂとを通るｙ１と把握した場合のみならず、前記仮想の中心軸ｙを図１９のように左上の突出部１６ｂと右下の突出部１６ｂとを通るｙ２と把握した場合にも、仮想の中心軸ｙを挟んだ両側にそれぞれ前記挿通路１が位置されるようになっている。
【００５６】
すなわち、この第二例では、前記バー構成体２が前記入り口バー２ａ又は出口バー２ｂとなり、前記湾曲側面１６ｃが前記入り口側ガイド面部４又は出口側ガイド面部５となり、前記突出部１６ｂが前記ストッパー部３、入り口側ガイド面部４の端末４ａ又は前記出口側ガイド面部５の端末５ａとして機能するようになっている（図２２参照）。
【００５７】
より具体的には、前記仮想の中心軸ｙを挟んだ一方側に位置される前記入り口バー２ａとなるバー構成体２の対称位置に前記仮想の中心軸ｙを挟んだ他方側に位置される前記入り口バー２ａとなるバー構成体２が位置され、
前記仮想の中心軸ｙを挟んだ一方側に位置される前記出口バー２ｂとなるバー構成体２の対称位置に前記仮想の中心軸ｙを挟んだ他方側に位置される前記出口バー２ｂとなるバー構成体２が位置され、
前記仮想の中心軸ｙを挟んだ一方側に位置される前記ストッパー部３となる突出部１６ｂの対称位置に前記仮想の中心軸ｙを挟んだ他方側に位置される前記ストッパー部３となる突出部１６ｂが位置される、ようになっている。
【００５８】
図２２は、図２２における上側に位置される突出部１６ｂと下側に位置される突出部１６ｂとを通る仮想の中心軸ｙの左右をそれぞれ挿通路１として、一本の紐Ｗを図２２の上側から下側に抜けるように右側の挿通路１に挿通させると共に下側に位置される突出部１６ｂ下で折り返すようにしてさらに図２２の下側から上側に抜けるように左側の挿通路１に挿通させた例を示している。すなわち、この図２２の例では、前記仮想の中心軸ｙを挟んだ右上側のバー構成体２及び左上側のバー構成体２が入り口バー２ａとして機能すると共に、前記仮想の中心軸ｙを挟んだ右下側のバー構成体２及び左下側のバー構成体２が出口バー２ｂとして機能するようになっている。
【００５９】
また、この図２２に示される例では、前記紐留め具Ｒと引き手部材Ｈとから紐留め装置を構成させるようにしている。引き手部材Ｈは、前記紐Ｗの挿通部Ｈａを備えており、この挿通部Ｈａに紐Ｗを通すことで紐Ｗに付設できるようになっている。図示の例では、引き手部材Ｈは、筒両端を共に開放させた筒状を呈すると共に、筒側部に二箇所の貫通穴Ｈｂ、Ｈｂを有し、この二箇所の貫通穴Ｈｂ、Ｈｂと筒内部とによって前記挿通部Ｈａを形成させた構成となっている。引き手部材Ｈの筒両端間の距離は紐留め具Ｒの厚さと実質的に等しくなるようになっている。引き手部材Ｈは、その筒軸に直交する向きの断面形状において、幅狭側面部Ｈｃと幅広側面部Ｈｄとを持つように構成されている。前記貫通穴Ｈｂは幅狭側面部Ｈｃの中央に軸部Ｈｅを残してこの軸部Ｈｅから幅広側面部Ｈｄの右端との間、及びこの軸部Ｈｅから幅広側面部Ｈｄの左端との間に亘って形成されている。図示の例では、隣り合うバー構成体２の間に引き手部材Ｈの幅広側面部Ｈｄは入り込まないが、幅狭側面部Ｈｃは入り込むようになっている。
【００６０】
このように構成される紐留め装置にあっては、引き手部材Ｈを把持してこれを引っ張る操作をすることで、典型的には一方の手で紐留め具Ｒを把持し、他方の手で引き手部材Ｈ把持して引き手部材Ｈを引っ張る操作をすることで、紐留め具Ｒ内から紐Ｗを引き出し紐Ｗに対する紐留め具Ｒの留め付け位置を調整することができる（図２２から図２３）。
【００６１】
図示の例では、隣り合うバー構成体２、２の間において、前記ベース部１５の外縁部１５ａ及び周回連接部１７の外縁部１７ａが凹状を呈するように構成されている。一方、引き手部材Ｈの幅狭側面部Ｈｃはこれらの外縁部１５ａ、１７ａの凹状に整合した凸状を呈するように構成されている。これにより、図示の例では、引き手部材Ｈを図２１における下側において隣り合うバー構成体２、２間の紐Ｗに付設させた状態から紐留め具Ｒと引き手部材Ｈとを密着させた場合、この引き手部材Ｈの少なくとも一部、図示の例では前記幅狭側面部Ｈｃが、前記中心軸ｙを挟んだ一方側に位置される前記出口バー２ｂとして機能するバー構成体２と前記中心軸ｙを挟んだ他方側に位置される前記出口バー２ｂとして機能するバー構成体２との間に見た目良く納まるようになっている（図２２）。
【００６２】
図示は省略するが、引き手部材Ｈは、例えば、図２２における前記中心軸ｙを挟んだ右側において上下に隣り合うバー構成体２、２間の紐Ｗに付設させることもでき、あるいは、図２２における前記中心軸ｙを挟んだ左側において上下に隣り合うバー構成体２、２間の紐Ｗに付設させることもできる。このようにした場合、紐留め具Ｒと引き手部材Ｈとを密着させた場合、この引き手部材Ｈの少なくとも一部、図示の例では前記幅狭側面部Ｈｃが、前記入り口バー２ａとして機能するバー構成体２と前記出口バー２ｂとして機能するバー構成体２との間に納まるようにすることができる。
【００６３】
なお、当然のことながら、本発明は以上に説明した実施形態に限定されるものではなく、本発明の目的を達成し得るすべての実施形態を含むものである。
【符号の説明】
【００６４】
Ｗ  紐
１  挿通路
１ａ  入り口
１ｂ  出口
２ａ  入り口バー
２ｂ  出口バー
３  ストッパー部
４  入り口側ガイド面部
５  出口側ガイド面部
α  湾局面
β  傾斜面
【図１】
0006483590.tif 000002
【図２】
0006483590.tif 000003
【図３】
0006483590.tif 000004
【図４】
0006483590.tif 000005
【図５】
0006483590.tif 000006
【図６】
0006483590.tif 000007
【図７】
0006483590.tif 000008
【図８】
0006483590.tif 000009
【図９】
0006483590.tif 000010
【図１０】
0006483590.tif 000011
【図１１】
0006483590.tif 000012
【図１２】
0006483590.tif 000013
【図１３】
0006483590.tif 000014
【図１４】
0006483590.tif 000015
【図１５】
0006483590.tif 000016
【図１６】
0006483590.tif 000017
【図１７】
0006483590.tif 000018
【図１８】
0006483590.tif 000019
【図１９】
0006483590.tif 000020
【図２０】
0006483590.tif 000021
【図２１】
0006483590.tif 000022
【図２２】
0006483590.tif 000023
【図２３】
0006483590.tif 000024
【図２４】
0006483590.tif 000025